(57)【要約】【課題】    本発明の目的は、捕獲する部位を多段に設けたゴキブリ捕獲器を提供するものである。【解決手段】    ゴキブリ捕獲器Ｇは、上方に位置する最上の層１と、下方に位置する最下の層４と、最上の層１と最下の層４との間に設けられた中間の層５、５と、下から上に向かって水平方向に間隔を設けて、最下の層４と中間の層５、５と最上の層１とが間隔保持部材６、７により保持された本体１０と、最下の層４の上面に設けられた最下面粘着剤２と、中間の層５、５の上面に設けられた中間粘着剤３、３とを備えてなるものである。【選択図】図１
2020198785.tif 000002
【特許請求の範囲】
【請求項１】
上方に位置する最上の層と、
下方に位置する最下の層と、
前記最上の層と前記最下の層との間に設けられた中間の層と、
下から上に向かって水平方向に間隔を設けて、前記最下の層と前記中間の層と前記最上の層とが間隔保持部材により保持された本体と、
前記最下の層の上面に設けられた最下面粘着剤と、
前記中間の層の上面に設けられた中間粘着剤とを備えてなる
ことを特徴とするゴキブリ捕獲器。
【請求項２】
最上の層、最下の層、中間の層は、外縁部が長方形形状であり、
間隔保持部材は、外縁部が長方形形状の第１、第２の側板であり、
前記第１、第２の側板は、前記最上の層、前記最下の層、前記中間の層の外側に位置し、前記第１の側板と前記第２の側板は、対向して設けられ、
載置面に前記第１の側板及び前記第２の側板の長辺部が当接して本体が立設するか又は前記第１の側板及び前記第２の側板の短辺部が当接して前記本体が立設するかであり、設置場所に応じて選択できる
ことを特徴とする請求項１記載のゴキブリ捕獲器。
【請求項３】
最上の層は、外縁が長方形形状であり、
最下の層は、外縁が長方形形状であり、
中間の層は、外縁が長方形形状であり、
前記最上の層の四隅にそれぞれ設けられた第１、第２、第３、第４の最上層開口部と、
前記第１、第２、第３、第４の最上層開口部に対応すると共に、前記最下の層の外縁に開口して前記最下の層に設けられる第１、第２、第３、第４の最下層開口部と、
前記第１、第２、第３、第４の最上層開口部に対応すると共に、前記中間の層の外縁に開口して前記中間の層に設けられる第１、第２、第３、第４の中間開口部と、
前記第１の最下層開口部の縁部及び前記第１の中間開口部の縁部に当接し、前記第１の最上層開口部より突出する第１の間隔保持部材と、
前記第２の最下層開口部の縁部及び前記第２の中間開口部の縁部に当接し、前記第２の最上層開口部より突出する第２の間隔保持部材と、
前記第３の最下層開口部の縁部及び前記第３の中間開口部の縁部に当接し、前記第３の最上層開口部より突出する第３の間隔保持部材と、
前記第４の最下層開口部の縁部及び前記第４の中間開口部の縁部に当接し、前記第４の最上層開口部より突出する第４の間隔保持部材とを備え、
載置面に前記最上の層の長辺部、前記中間の層の長辺部、及び前記最下の層の長辺部が当接して本体が立設するか又は前記最上の層の短辺部、前記中間の層の短辺部、及び前記最下の層の短辺部が当接して前記本体が立設するかであり、設置場所に応じて選択できる
ことを特徴とする請求項１記載のゴキブリ捕獲器。
【請求項４】
中間の層へゴキブリが侵入できるように、最上の層にゴキブリ侵入開口部が設けられている
ことを特徴とする請求項１〜３のいずれかに記載のゴキブリ捕獲器。
【請求項５】
最上の層の下面に設けられた最上粘着剤と、
中間の層の下面に設けられた中間下面粘着剤とを備えている
ことを特徴とする請求項１〜３のいずれかに記載のゴキブリ捕獲器。
【請求項６】
最上の層、最下の層、中間の層、間隔保持部材は、紙製の段ボールで形成されている
ことを特徴とする請求項１〜３のいずれかに記載のゴキブリ捕獲器。
【発明の詳細な説明】
【技術分野】
【０００１】
本発明は、ゴキブリ捕獲器に係り、特に、捕獲する部位を多段に設けたゴキブリ捕獲器に関する。
【背景技術】
【０００２】
従来、ゴキブリ捕獲器は、天板、下側板、上側板、底板からなり、底板は粘着面、剥離紙、誘引剤で構成されている（特許文献１）。
【先行技術文献】
【特許文献】
【０００３】
【特許文献１】特開2019-013209号公報
【発明の概要】
【発明が解決しようとする課題】
【０００４】
上記ゴキブリ捕獲器は、ゴキブリ捕獲器の内部が見えにくいようになっている。
ところが、上記ゴキブリ捕獲器にあっては、ゴキブリを捕獲する部位が底板の上面の一層のみで捕獲する部位が少ないという問題点が生じた。
【０００５】
本発明は、上記の問題点を考慮してなされたゴキブリ捕獲器を提供することにある。
【課題を解決するための手段】
【０００６】
請求項１記載のゴキブリ捕獲器は、上方に位置する最上の層と、下方に位置する最下の層と、前記最上の層と前記最下の層との間に設けられた中間の層と、下から上に向かって水平方向に間隔を設けて、前記最下の層と前記中間の層と前記最上の層とが間隔保持部材により保持された本体と、前記最下の層の上面に設けられた最下面粘着剤と、前記中間の層の上面に設けられた中間粘着剤とを備えてなるものである。
【０００７】
また、請求項２記載のゴキブリ捕獲器は、請求項１記載のゴキブリ捕獲器において、最上の層、最下の層、中間の層は、外縁部が長方形形状であり、間隔保持部材は、外縁部が長方形形状の第１、第２の側板であり、前記第１、第２の側板は、前記最上の層、前記最下の層、前記中間の層の外側に位置し、前記第１の側板と前記第２の側板は、対向して設けられ、載置面に前記第１の側板及び前記第２の側板の長辺部が当接して本体が立設するか又は前記第１の側板及び前記第２の側板の短辺部が当接して前記本体が立設するかであり、設置場所に応じて選択できるものである。
【０００８】
また、請求項３記載のゴキブリ捕獲器は、請求項１記載のゴキブリ捕獲器において、最上の層は、外縁が長方形形状であり、最下の層は、外縁が長方形形状であり、中間の層は、外縁が長方形形状であり、前記最上の層の四隅にそれぞれ設けられた第１、第２、第３、第４の最上層開口部と、前記第１、第２、第３、第４の最上層開口部に対応すると共に、前記最下の層の外縁に開口して前記最下の層に設けられる第１、第２、第３、第４の最下層開口部と、前記第１、第２、第３、第４の最上層開口部に対応すると共に、前記中間の層の外縁に開口して前記中間の層に設けられる第１、第２、第３、第４の中間開口部と、前記第１の最下層開口部の縁部及び前記第１の中間開口部の縁部に当接し、前記第１の最上層開口部より突出する第１の間隔保持部材と、前記第２の最下層開口部の縁部及び前記第２の中間開口部の縁部に当接し、前記第２の最上層開口部より突出する第２の間隔保持部材と、前記第３の最下層開口部の縁部及び前記第３の中間開口部の縁部に当接し、前記第３の最上層開口部より突出する第３の間隔保持部材と、前記第４の最下層開口部の縁部及び前記第４の中間開口部の縁部に当接し、前記第４の最上層開口部より突出する第４の間隔保持部材とを備え、載置面に前記最上の層の長辺部、前記中間の層の長辺部、及び前記最下の層の長辺部が当接して本体が立設するか又は前記最上の層の短辺部、前記中間の層の短辺部、及び前記最下の層の短辺部が当接して前記本体が立設するかであり、設置場所に応じて選択できるものである。
【０００９】
また、請求項４記載のゴキブリ捕獲器は、請求項１〜３のいずれかに記載のゴキブリ捕獲器において、中間の層へゴキブリが侵入できるように、最上の層にゴキブリ侵入開口部が設けられているものである。
【００１０】
また、請求項５記載のゴキブリ捕獲器は、請求項１〜３のいずれかに記載のゴキブリ捕獲器において、最上の層の下面に設けられた最上粘着剤と、中間の層の下面に設けられた中間下面粘着剤とを備えているものである。
【００１１】
また、請求項６記載のゴキブリ捕獲器は、請求項１〜３のいずれかに記載のゴキブリ捕獲器において、最上の層、最下の層、中間の層、間隔保持部材は、紙製の段ボールで形成されているものである。
【発明の効果】
【００１２】
請求項１記載のゴキブリ捕獲器によれば、上方に位置する最上の層と、下方に位置する最下の層と、前記最上の層と前記最下の層との間に設けられた中間の層と、下から上に向かって水平方向に間隔を設けて、前記最下の層と前記中間の層と前記最上の層とが間隔保持部材により保持された本体と、前記最下の層の上面に設けられた最下面粘着剤と、前記中間の層の上面に設けられた中間粘着剤とを備えてなるため、捕獲する部位を最下の層、中間の層と多段に設けた分、省スペースに対応できると共に、より多くのゴキブリを捕獲することができ、しかも、最下面粘着剤のみならず、中間粘着剤と複数設けて、より多くのゴキブリを捕獲することができる。
【００１３】
また、請求項２記載のゴキブリ捕獲器によれば、上述した請求項１記載の発明の効果に加え、載置面に第１の側板及び第２の側板の長辺部が当接して本体が立設するか又は第１の側板及び第２の側板の短辺部が当接して本体が立設することができるため、設置場所に応じて選択して、本体を縦長状に、又は、本体を横長状に、設置することができ、しかも、第１の側板及び第２の側板を把持できるため、突出した部位の何れかを摘んでゴキブリ捕獲器を廃棄することができる。
【００１４】
また、請求項３記載のゴキブリ捕獲器によれば、上述した請求項１記載の発明の効果に加え、載置面に最上の層の長辺部、中間の層の長辺部、及び最下の層の長辺部が当接して本体が立設するか又は最上の層の短辺部、中間の層の短辺部、及び最下の層の短辺部が当接して本体が立設することができるため、設置場所に応じて選択して、本体を縦長状に、又は、本体を横長状に、設置することができ、しかも、最上の層は、外縁が長方形形状であり、最下の層は、外縁が長方形形状であり、中間の層は、外縁が長方形形状であり、前記最上の層の四隅にそれぞれ設けられた第１、第２、第３、第４の最上層開口部と、前記第１、第２、第３、第４の最上層開口部に対応すると共に、前記最下の層の外縁に開口して前記最下の層に設けられる第１、第２、第３、第４の最下層開口部と、前記第１、第２、第３、第４の最上層開口部に対応すると共に、前記中間の層の外縁に開口して前記中間の層に設けられる第１、第２、第３、第４の中間開口部と、前記第１の最下層開口部の縁部及び前記第１の中間開口部の縁部に当接し、前記第１の最上層開口部より突出する第１の間隔保持部材と、前記第２の最下層開口部の縁部及び前記第２の中間開口部の縁部に当接し、前記第２の最上層開口部より突出する第２の間隔保持部材と、前記第３の最下層開口部の縁部及び前記第３の中間開口部の縁部に当接し、前記第３の最上層開口部より突出する第３の間隔保持部材と、前記第４の最下層開口部の縁部及び前記第４の中間開口部の縁部に当接し、前記第４の最上層開口部より突出する第４の間隔保持部材とを備えてなるため、多段構成のゴキブリ捕獲器を簡易に作ることができ、更に、第１、第２、第３、第４の間隔保持部材は、それぞれ第１、第２、第３、第４の最上層開口部より突出するため、突出した部位の何れかを摘んでゴキブリ捕獲器を廃棄することができ、加えて、外縁が長方形形状である最上の層、最下の層、中間の層が積層されて構成された本体の側方の４面は、開放されているため、ゴキブリ捕獲器へのゴキブリの侵入が容易で、より多くのゴキブリをゴキブリ捕獲器内に導くことができる。
【００１５】
また、請求項４記載のゴキブリ捕獲器によれば、上述した請求項１〜３の発明の効果に加え、最上の層にゴキブリ侵入開口部が設けられているため、中間の層へゴキブリが侵入できるようにして、ゴキブリ捕獲器内へ多くのゴキブリを捕獲することができる。
【００１６】
また、請求項５記載のゴキブリ捕獲器によれば、上述した請求項１〜３の発明の効果に加え、最上の層の下面に設けられた最上粘着剤と、中間の層の下面に設けられた中間下面粘着剤とを備えているため、ゴキブリ捕獲器内へ多くのゴキブリを最上粘着剤、中間下面粘着剤に加え、最上粘着剤及び中間上面粘着剤を介して捕獲することができる。
【００１７】
また、請求項６記載のゴキブリ捕獲器によれば、上述した請求項１〜３の発明の効果に加え、最上の層、最下の層、中間の層、間隔保持部材は、紙製の段ボールで形成されているため、ゴキブリ捕獲器内の保温性が良くゴキブリが集まり易く、捕獲後もゴキブリ捕獲器を焼却ゴミとしてそのまま廃棄することができる。
【図面の簡単な説明】
【００１８】
【図１】図１は、本発明の一実施例のゴキブリ捕獲器の概略的斜視図である。
【図２】図２は、図１の概略的平面図である。
【図３】図３は、図１の概略的正面図である。
【図４】図４は、図１のゴキブリ捕獲器を裏側から見た概略的斜視図である。
【図５】図５は、図１のゴキブリ捕獲器を縦長形状に設置した状態の概略的斜視図である。
【図６】図６は、図１の他の実施例のゴキブリ捕獲器の概略的斜視図である。
【図７】図７は、図６の最上の層を取り外した状態の概略的斜視図である。
【図８】図８は、図６の他の実施例のゴキブリ捕獲器の概略的斜視図である。
【図９】図９は、図８の概略的正面図である。
【図１０】図１０は、図８の最上の層を取り外した状態の概略的斜視図である。
【図１１】図１１は、図８のゴキブリ捕獲器と異なる他の実施例のゴキブリ捕獲器を縦長形状に設置した状態を撮影した写真である。
【図１２】図１２は、図１１のゴキブリ捕獲器を横長形状に設置した状態を撮影した写真である。
【発明を実施するための形態】
【００１９】
本発明の一実施例のゴキブリ捕獲器を図１乃至図１２を参照して説明する。
【００２０】
図１に示すＧはゴキブリ捕獲器で、ゴキブリ捕獲器Ｇは、上方に位置する最上の層１と、下方に位置する最下の層４と、最上の層１と最下の層４との間に設けられた中間の層５、５と、下から上に向かって水平方向に間隔を設けて、最下の層４と中間の層５、５と最上の層１とが間隔保持部材（第１の間隔保持部材６、第２の間隔保持部材７）により保持された本体１０とを備えてなるものである。
第１の間隔保持部材６と第２の間隔保持部材７による最下の層４と中間の層５との間隔は、例えば、５ｍｍ〜１０ｍｍであり、隣接する中間の層５との間隔は、例えば、５ｍｍ〜１０ｍｍであり、最上の層１と中間の層５との間隔は、例えば、５ｍｍ〜１０ｍｍである。
【００２１】
なお、本実施例のゴキブリ捕獲器Ｇは、最上の層１、中間の層５、５、最下の層４の４層の構成となっているが、本願発明にあっては、これに限らず、３層、５層等複数の任意の数の層に構成することができる。
図１に示す２は最下の層４の上面に設けられた最下面粘着剤（例えば、粘着シート）で、３は中間の層の上面に設けられた中間粘着剤（例えば、粘着シート）である。
【００２２】
その結果、捕獲する部位を最下の層４、中間の層５、５と多段に設けた分、省スペースに対応できると共に、より多くのゴキブリを捕獲することができ、しかも、最下面粘着剤２のみならず、中間粘着剤３、３と複数設けて、より多くのゴキブリを捕獲することができる。
また、本実施例の最下面粘着剤２、中間粘着剤３、３は、粘着の機能のみでも良いが、望ましくは、粘着剤にゴキブリを誘引する配合した誘引剤配合粘着シートが良い。
【００２３】
また、最上の層１、最下の層４、中間の層５、５、間隔保持部材（第１の間隔保持部材６、第２の間隔保持部材７）は、外縁部が四角形形状であるが、望ましくは、外縁部が長方形形状が良い（第１の間隔保持部材６、第２の間隔保持部材７は、外縁部が長方形形状である。）。
また、第１の間隔保持部材６、第２の間隔保持部材７は、最上の層１、最下の層４、中間の層５、５の外側に位置し、対向して設けられている。
なお、６Ｋは、第１の間隔保持部材６に設けられた隣接する層の隙間に対応した開口部、７Ｋは、第２の間隔保持部材７に設けられた隣接する層の隙間に対応した開口部で、開口部６Ｋ、７Ｋを介してゴキブリがゴキブリ捕獲器Ｇ内に入り込み易くしている。
そして、図１に示すように、載置面２０に第１の間隔保持部材６及び第２の間隔保持部材７の長辺部が当接して本体１０が立設している。また、このゴキブリ捕獲器Ｇは、図５に示すように、第１の間隔保持部材６及び第２の間隔保持部材７の短辺部が当接して本体１０が立設することもできる。
そのため、このゴキブリ捕獲器Ｇにおいては、設置場所に応じて選択して、本体１０を縦長状に（図５参照）、又は、本体１０を横長状に（図１参照）、設置することができ、しかも、第１の間隔保持部材６及び第２の間隔保持部材７を把持できるため、突出した部位の何れかを摘んでゴキブリ捕獲器Ｇを廃棄することができる。
【００２４】
なお、上述した実施例では、最下面粘着剤２、中間粘着剤３、３は、粘着の機能のみ
でも良いが、粘着剤にゴキブリを誘引する配合した誘引剤配合粘着シートでも良いし、また、例えば、図６及び図７に示すように、中間粘着剤３にゴキブリを誘引する誘引剤３’、最下面粘着剤２に誘引剤（図示せず）をそれぞれ設けても良いし、また、図８乃至図１０に示すように、誘引剤３”を、例えば、円柱体等の柱体に形成し、最下の層４に立設した柱体の誘引剤３”を中間の層５、５の開口部を介して本体１０内に設けるようにしても良い。図８乃至図１０記載の実施例にあっては、図１乃至図７記載の実施例と同一部分に同一符号を付してその説明を省略する。
【００２５】
なお、上述の実施例においては、最上の層１は、ゴキブリ侵入開口部が設けられていないが、ゴキブリ侵入開口部（図示しないが、例えば、ゴキブリが侵入できる大きさの平面視、長方形状の開口部）を設け、中間の層５へゴキブリが侵入できるようにして、ゴキブリ捕獲器Ｇ内へ多くのゴキブリを捕獲することができるようにしても良い。
【００２６】
また、上述の実施例においては、最下面粘着剤２、中間粘着剤３、３と設けたものに加え、最上の層１の下面に図示しない最上粘着剤（例えば、粘着シート）を、中間の層５、５の下面に図示しない中間下面粘着剤（例えば、粘着シート）を、それぞれ設けるようにしても良い。
その結果、ゴキブリ捕獲器Ｇ内へ多くのゴキブリを最下粘着剤２、中間粘着剤３に加え、図示しない最上粘着剤及び中間下面粘着剤を介して捕獲することができる。
【００２７】
また、上述の実施例においては、間隔保持部材（第１の間隔保持部材６、第２の間隔保持部材７）は、図１乃至図１０記載に限らず、例えば、図１１及び図１２記載の間隔保持部材（第１の間隔保持部材６、第２の間隔保持部材７、第３の間隔保持部材８、第４の間隔保持部材９）でも良く、また、図１１及び図１２に示す実施例の最上の層１、最下の層４及び中間の層５は、外縁部が四角形（望ましくは、長方形形状）である。
【００２８】
なお、上述した最上の層１、最下の層４、中間の層５、５、間隔保持部材（第１の間隔保持部材６、第２の間隔保持部材７）は、合成樹脂で形成しても良いが、望ましくは、紙製の段ボールで形成されているのが良い。
最上の層１、最下の層４、中間の層５、５、間隔保持部材（第１の間隔保持部材６、第２の間隔保持部材７）を紙製の段ボールで形成されていると、ゴキブリ捕獲器Ｇ内の保温性が良くゴキブリが集まり易く、捕獲後もゴキブリ捕獲器Ｇを焼却ゴミとしてそのまま廃棄することができる。
最上の層１、最下の層４、中間の層５、間隔保持部材（図１乃至図１０記載の実施例の間隔保持部材にあっては、第１の間隔保持部材６、第２の間隔保持部材７）を紙製の段ボールで形成されていると、ゴキブリ捕獲器Ｇ内の保温性が良くゴキブリが集まり易く、捕獲後もゴキブリ捕獲器Ｇを焼却ゴミとしてそのまま廃棄することができる。
【００２９】
即ち、図１１及び図１２に示すように、最上の層１の四隅にそれぞれ第１、第２、第３、第４の最上層開口部１Ａ、１Ｂ、１Ｃ、１Ｄが設けられている。
そして、第１、第２、第３、第４の中間開口部５Ａ、５Ｂ、５Ｃ、５Ｄが第１、第２、第３、第４の最上層開口部１Ａ、１Ｂ、１Ｃ、１Ｄに対応すると共に、中間の層５の外縁に開口して中間の層５に設けられている。
また、第１、第２、第３、第４の最下層開口部４Ａ、４Ｂ、４Ｃ、４Ｄが第１、第２、第３、第４の最上層開口部１Ａ、１Ｂ、１Ｃ、１Ｄに対応すると共に、最下の層４の外縁に開口して最下の層４にが設けられている。
そして、第１の間隔保持部材６は、第１の最下層開口部４Ａの縁部及び第１の中間開口部５Ａの縁部に当接し、第１の最上層開口部１Ａより突出している（図１１参照）。
また、第２の間隔保持部材７は、第２の最下層開口部４Ｂの縁部及び第２の中間開口部５Ｂの縁部に当接し、第２の最上層開口部４Ｂより突出している（図１１参照）。
また、第３の間隔保持部材８は、第３の最下層開口部４Ｃの縁部及び第３の中間開口部５Ｃの縁部に当接し、第３の最上層開口部１Ｃより突出している（図１１参照）。
また、第４の間隔保持部材９は、第４の最下層開口部４Ｄの縁部及び第４の中間開口部５Ｄの縁部に当接し、第４の最上層開口部５Ｄより突出している（（図１１参照）。
そのため、多段構成のゴキブリ捕獲器Ｇを簡易に作ることができる。
また、第１、第２、第３、第４の間隔保持部材６、７、８、９は、それぞれ第１、第２、第３、第４の最上層開口部１Ａ、１Ｂ、１Ｃ、１Ｄより突出するため、突出した部位Ａ、Ｂ、Ｃ、Ｄの何れかを摘んでゴキブリ捕獲器Ｇを廃棄することができ、更に、外縁が四角形状である最上の層１、最下の層４、中間の層５が積層されて構成された本体１０の側方の４面は、開放されているため、ゴキブリ捕獲器Ｇへのゴキブリの侵入が容易で、より多くのゴキブリをゴキブリ捕獲器Ｇ内に導くことができる。
【００３０】
また、上述した最上の層１、最下の層４、中間の層５、間隔保持部材（第１の間隔保持部材６、第２の間隔保持部材７、第３の間隔保持部材８、第４の間隔保持部材９）は、合成樹脂で形成しても良いが、望ましくは、紙製の段ボールで形成されているのが良い。
最上の層１、最下の層４、中間の層５、間隔保持部材（第１の間隔保持部材６、第２の間隔保持部材７、第３の間隔保持部材８、第４の間隔保持部材９）を紙製の段ボールで形成されていると、ゴキブリ捕獲器Ｇ内の保温性が良くゴキブリが集まり易く、捕獲後もゴキブリ捕獲器Ｇを焼却ゴミとしてそのまま廃棄することができる。
【００３１】
また、図１２に示すように、載置面２０に最上の層１の長辺部、中間の層５の長辺部及び最下の層４の長辺部が当接して本体１０が立設するか又は図１１に示すように、最上の層１の短辺部、中間の層５の短辺部及び最下の層４の短辺部が当接して本体１０が立設するかであり、設置場所に応じて選択して、本体１０を縦長状に（図１１参照）、又は、本体１０を横長状に（図１２参照）設置することができる。
【符号の説明】
【００３２】
Ｇ      ゴキブリ捕獲器
１      最上の層
２      最下面粘着剤
３      中間粘着剤
４      最下の層
５      中間の層
６      間隔保持部材（第１の間隔保持部材）
７      間隔保持部材（第２の間隔保持部材）
８      間隔保持部材（第３の間隔保持部材）
９      間隔保持部材（第４の間隔保持部材）
１０    本体
【図１】
2020198785.tif 000003
【図２】
2020198785.tif 000004
【図３】
2020198785.tif 000005
【図４】
2020198785.tif 000006
【図５】
2020198785.tif 000007
【図６】
2020198785.tif 000008
【図７】
2020198785.tif 000009
【図８】
2020198785.tif 000010
【図９】
2020198785.tif 000011
【図１０】
2020198785.tif 000012
【図１１】
2020198785.tif 000013
【図１２】
2020198785.tif 000014